(57)【特許請求の範囲】
【請求項１】
洗濯洗浄条件下で布地からの汚れ落ちを促進する混合物であって、前記混合物は：
（Ａ）アクリル酸由来の重合単位を１００重量％含むホモポリマーであり、１，０００〜２，０００ダルトンの重量基準の分子量を有する、ポリアクリレートポリマーと、
（Ｂ）ヒドロキシプロピルメチルセルロースを含む少なくとも１種の水溶性の変性セルロースエーテルと、
を含む、混合物。
【請求項２】
成分（Ａ）及び（Ｂ）は、（ポリアクリレートポリマー）：（水溶性の変性セルロースエーテル）のモル比が１：１０〜１０：１で存在する、請求項１に記載の混合物。
【請求項３】
汚れた布地からの汚れ落ちを促進する方法であって、前記汚れた布地を請求項１に記載の混合物を含む水溶液と接触させる工程を含む、前記方法。
【請求項４】
請求項１に記載の混合物を含む洗濯洗浄剤。
【発明の詳細な説明】
【技術分野】
【０００１】
本発明は、家庭の洗濯条件において、ポリアクリレートポリマーと変性セルロースエーテルの相乗混合物を用いて布地からの汚れ落ちを促進する方法に関する。
【背景技術】
【０００２】
布地の衣服を着ると、布地の繊維上及び繊維間に、汚れ及び／又は油性物質が蓄積及び定着する傾向がある。汚れた衣類は、多くの場合、家庭の洗濯条件下、すなわち水溶液中で洗濯洗剤を使用して洗浄される。従来は、油汚れは非常に高温（一般的に６０℃〜９０℃）の洗浄条件で取り除かれていたが、大幅に低い温度、すなわち１５℃〜５０℃の温度領域における洗濯洗浄によってエネルギーを節約することが、最近の傾向である。しかしながら、残念なことに油汚れは、このような温度では容易に除去されない。
【０００３】
低い温度（例えば、１５℃〜５０℃）で、汚れた布地の衣類をきれいにすることができる洗濯洗剤の開発が、継続して試みられており、限定されるものではないが、分散剤や被膜形成剤（film formers）、乳化剤、界面活性剤、ビルダーなどの様々な添加剤を含む洗濯洗剤に至っている。部分的に加水分解されたアクリルアミドポリマーなどの特定のポリカルボキシレートポリマー及びアクリル酸エチルとメタクリル酸との特定の共重合体は、布地において低レベルで、非常に効果的な汚れ落とし剤（soil-release agents）である。
【０００４】
例えば、３未満のｐＨを有する酸性水溶液中のポリカルボキレートポリマーは、綿及び綿混紡の布地に対して非永続的な汚れ落とし特性を付与することができるものとして、米国特許第３，９１２，６８１号明細書に記載されている。３未満のｐＨをもたらし、ポリカルボキシレートポリマーの適用を容易にするために、水溶液中に鉱酸を含有させる必要があるので、米国特許第３，９１２，６８１号明細書に開示されている技術は、消費者の使用には適しておらず、また、それは、一般的に８．５を超えるｐＨを有する洗濯洗浄剤とも両立しないものである。
【０００５】
米国特許第６，４５１，７５６号明細書には、一般的な家庭の洗濯洗浄条件下、すなわち１５℃〜５０℃の温度の水溶液中で、綿及び綿混紡の布地における汚れ落ちを促進するのに有用である疎水性変性のポリカルボキシレートポリマーが記載されている。
【０００６】
汚れ落とし剤の別の種類の防汚剤としては、アルキル又はヒドロキシアルキルセルロース誘導体がある。米国特許第４，１３６，０３８号明細書に記載されているように、例えば、メチルセルロース化合物は、洗濯洗剤において好成績の汚れ落とし剤として数十年にわたり知られている。
【０００７】
米国特許第４，０００，０９３号明細書には、アルキル−、ヒドロキシアルキル−セルロース又はアルキルヒドロキシアルキル−セルロースを０．１％〜３％（重量基準）、及び実質的にＣ10〜Ｃ13−アルキル硫酸塩からなり、５％以下（重量基準）のＣ14−アルキル硫酸塩と、５％未満（重量基準）のＣ15以上のアルキル基を有するアルキル硫酸塩を含有する界面活性剤を５％〜５０％（重量基準）で含有する洗濯洗剤が開示されている。
【０００８】
米国特許第７，３１６，９９５号明細書には、布地の汚れ落ち特性を改善するセルロース誘導体と組み合わせた水溶性ビルダー系を含む洗剤又は洗浄剤が記載されている。米国特許第７，３１６，９９５号明細書に記載された技術を使用するのに適したセルロース誘導体としては、アルキル及びヒドロキシアルキルセルロース誘導体が挙げられる。
【０００９】
汚れ除去用の他の添加剤と、汚れ落とし剤との混合物も提案されている。例えば、米国特許出願公開第米国２００９／０１１０８７０号明細書には、フッ化ポリウレタン、フッ化アクリレート又はフッ化メタクリレートの１種又は複数種からなる少なくとも１種の防汚剤と、無水マレイン酸からなる少なくとも１種の添加剤との混合物を含む防汚添加剤が記載されている。
【先行技術文献】
【特許文献】
【００１０】
【特許文献１】米国特許第３，９１２，６８１号明細書
【特許文献２】米国特許第６，４５１，７５６号明細書
【特許文献３】米国特許第４，１３６，０３８号明細書
【特許文献４】米国特許第４，０００，０９３号明細書
【特許文献５】米国特許第７，３１６，９９５号明細書
【特許文献６】米国特許出願公開第米国２００９／０１１０８７０号明細書
【発明の概要】
【発明が解決しようとする課題】
【００１１】
しかしながら、この分野における広範な研究活動にも拘わらず、家庭の洗濯条件下、低温で、特に、油やグリース由来の汚れに対して優れた汚れ落ち特性を有し、綿などの天然布地、綿混紡布地、並びにポリエステルなどの合成布地及びポリエステル−綿布地に非常に効果的である、汚れ落とし添加剤に対するニーズが依然として存在している。
【課題を解決するための手段】
【００１２】
本発明は、洗濯洗浄条件下で、布地からの汚れ落ちを促進する混合物であって、ポリアクリレートポリマーと少なくとも１つの水溶性の変性セルロースエーテルを含み、ポリアクリレートポリマー：水溶性の変性セルロースエーテルのモル比が１：１０〜１０：１である混合物を提供するものである。前記ポリアクリレートポリマーは、前記ポリアクリレートポリマーの総重量に基づいて、（ｉ）アクリル酸由来の重合単位を９０〜１００重量％、及び（ｉｉ）１種又は複数種のＣ3〜Ｃ8モノエチレン性不飽和カルボン酸由来の重合単位を最大１０重量％で含有する。前記水溶性の変性セルロースエーテルは、アルキルセルロース誘導体、ヒドロキシアルキルセルロース誘導体及びカルボキシルアルキルセルロース誘導体からなる群から選択される少なくとも１種の化合物である。例えば、水溶性の変性セルロースは、メチルセルロースを含んでいてもよい。
【００１３】
一実施形態では、前記アクリレートポリマーは、５００〜５，０００ダルトンの重量平均分子量を有する。
【００１４】
また、本発明は、上記した本発明の相乗混合物を含む水溶液と汚れた布地を接触させる工程を含む、汚れた布地からの汚れ落ちを促進する方法を提供するものである。 
【００１５】
また、本発明は、ポリアクリレートポリマーと少なくとも１種の水溶性の変性セルロースエーテルの上記相乗混合物を含む洗濯洗浄剤を提供するものである。より具体的には、洗濯洗浄剤は、前記洗濯剤の総重量に基づいて、相乗混合物を最大２重量％で含むものである。
【００１６】
最後に、汚れた布地からの汚れ落ちを促進する方法は、上記した洗濯洗浄剤と汚れた布地を接触させる工程を含むものが提供される。 
【発明を実施するための形態】
【００１７】
まず、以下の説明においては、各範囲の端点は、明確となるように考慮され、当業者の知識の範囲内で許容される他の値を組み込むように認識され、これらに限定されないで含み、それらは、本発明に関連するように各端点とは僅かに異なることに留意されたい（すなわち、各端点は、「約」、「近接した（close）」 又は「近い（near）」それぞれの端点の値を組み込むように解釈されるべきである）。本明細書に記載された範囲及び比の限定は、組み合わせることができる。例えば、１〜２０及び５〜１５の各範囲が特定のパラメータについて記載されている場合、１〜５、１〜１５、５〜２０又は１５〜２０の各範囲も想定され、それによって包含されると解される。
【００１８】
特に断らない限り、以下に述べるすべてのパーセンテージ量は、重量パーセントである。
【００１９】
「ポリマー」は、同一又は異なる種類のモノマーを重合することによって調製される高分子化合物又は「樹脂」を意味する。ホモポリマーは、一般に、単一種類のモノマーから調製された高分子化合物であると理解される。同様に、共重合体は、２種類以上の異なる種類のモノマーから調製された高分子化合物である。
【００２０】
「〜由来の重合単位」という用語は、本明細書で使用するとき、重合技術によって合成されたポリマー分子を指し、生成ポリマーは、重合反応用の出発物質である構成モノマー由来の重合単位を含む。重合反応の出発物質として使用されるすべての構成モノマーの総量に基づく、構成モノマーの割合は、各構成モノマー由来単位を同割合で有するポリマー生成物が得られると想定される。例えば、アクリル酸モノマーを８０重量％及びメタクリル酸モノマーを２０重量％で重合反応に提供すると、得られるポリマー生成物は、アクリル酸由来単位を８０重量％及びメタクリル酸由来単位を２０重量％で含む。定義により、ホモポリマーは、アクリル酸のみ、マレイン酸のみ等の単一種類のモノマー由来単位を１００重量％で含む。
【００２１】
本発明に係る「汚れ落ち」という用語は、布地と接触して染み込んでいる汚れ及び／又は油性物質を取り除くために洗浄又はその他の方法で処理される布地の能力を指すものである。
【００２２】
本発明は、一般的な洗濯洗浄条件下で、布地からの汚れ落ちを促進する混合物に関する。一般的な洗浄条件は、前記布地を、例えば、限定されないが１５℃〜５０℃などの１５℃〜９０℃内の温度の水溶液中で、混合物と接触させることを意味する。
【００２３】
本発明によれば、前記混合物は、一般に、ポリマーの総重量に基づいて、アクリル酸由来の重合単位を９０〜１００重量％で含むポリアクリレートポリマーと、ヒドロキシプロピルメチルセルロースを含む少なくとも１つの水溶性の変性セルロースエーテルを含むものである。
【００２４】
前記ポリアクリレートポリマーは、前記ポリアクリレートポリマーの総重量に基づいて、アクリル酸由来の重合単位を９０〜１００重量％、及び１種又は複数種のＣ3〜Ｃ8モノエチレン性不飽和カルボキシル酸を最大１０重量％で含むものである。好ましい実施形態では、前記ポリアクリレートポリマーは、アクリル酸由来単位を１００％で含むホモポリマーである。前記Ｃ3〜Ｃ8モノエチレン性不飽和カルボン酸は、メタクリル酸、α−エタクリル酸、β−β−ジメチルアクリル酸、メチレンマロン酸、ビニル酢酸、アリル酢酸、エチリジン酢酸（ethylidineacetic acid）、プロピリジリン酢酸（propylidineacetic acid）、クロトン酸、マレイン酸、無水マレイン酸、フマル酸、イタコン酸、シトラコン酸、メサコン酸、並びにそのアルカリ塩及び金属塩からなる群から選択される１種又は複数種の化合物とすることができる。前記ポリアクリレートポリマーとしては、例えば、限定されないが、メタクリル酸、マレイン酸、無水マレイン酸、及びイタコン酸の１種又は複数種の残部を有する３０重量％以上のアクリル酸を含む。前記ポリアクリレートポリマーを調製する方法は、関連する技術分野の当業者に周知及び理解されており、特に限定されない。したがって、前記ポリアクリレートポリマーは、本発明において使用するのに好適であると本明細書に規定されている種類のポリアクリル酸ポリマーを生成する任意の重合方法によって製造することができる。
【００２５】
また、本発明に用いられるポリアクリレートポリマーは、噴霧乾燥された粉末や顆粒などの固体状、又は水溶液や共溶媒系溶液（co-solvent based solution）などの液体状で得ることができる。ポリアクリレートポリマーは、しばしば分子量を増大させ、変性ポリマー構造や立体配座を形成させるために加えられる架橋剤を含んでいてもよい。また、ポリアクリレートポリマーは、当業者の判断により、酸性又は中和された形態で使用してもよい。例えば、このようなポリマーを中和するのに適したアルカリ金属イオンとしては、一般的には、ナトリウム若しくはカリウム、マグネシウムやカルシウムなどのアルカリ土類金属の陽イオン、アンモニウム若しくはテトラメチルアンモニウムなどのテトラアルキルアンモニウム塩、トリ−Ｃ1〜Ｃ4−アルキルアミンやヒドロキシエチルアミン、モノ−、ジ−若しくはトリ−Ｃ1〜Ｃ4−アルカノールアミンの塩などの有機アミン塩、又はそれらの混合物などが挙げられる。
【００２６】
本明細書において使用されるポリアクリレートポリマーの分子量は、完全に加水分解した後のポリマー生成物において測定される前記ポリマー骨格の重量平均分子量（ＭＷw）を意味する。本発明に使用するのに適したポリアクリレートポリマーとしては、限定されないが、５００〜５００，０００ダルトン、好ましくは例えば、５００〜１５０，０００、より好ましくは１，０００〜２０，０００、更により好ましくは５００〜５，０００、最も好ましくは１，０００〜２，０００ダルトンのＭＷｗを有するものが挙げられる。
【００２７】
ゲル透過クロマトグラフィー（ＧＰＣ）は、周知且つ広く実施されている分析技術であり、本発明で用いられるポリアクリレートポリマーの重量平均分子量を決定するために、ＧＰＣ液体クロマトグラフを用いて実施する。ＧＰＣ試料は、ＧＰＣ移動相において約０．２％のポリマー固形分に希釈する。屈折率検出器、水性リン酸塩緩衝液及びカラムを使用したＧＰＣクロマトグラフを、分析される分子量に適した設定とする。使用される試薬は、高速液体クロマトグラフィー（ＨＰＬＣ）グレード又はそれと同等の水；リン酸二水素ナトリウムのＮａＨ2ＰＯ4，２Ｈ2Ｏ試薬グレード（９９％以上）；水酸化ナトリウム溶液０．５Ｍ試薬グレード；及び分析された分子量標準用サンプルが含まれる。さらに、分析中に用いられるＧＰＣの条件は、移動相の設定が０．０２モル  ＮａＨ2ＰＯ4，２Ｈ2Ｏ  ｐＨ７．０；フローレートの設定が１ｍＬ／ｍｉｎ；インジェクションサイズ１００μＬ；及び実行時間２５分を含む。
【００２８】
前記水溶性の変性セルロースエーテルは、アルキルセルロース誘導体、ヒドロキシアルキルセルロース誘導体及びカルボキシルアルキルセルロース誘導体からなる群から選択される１種又は複数種の化合物とすることができる。エチルセルロース化合物は水溶性ではなく、そのため、定義により本発明に使用するのに適したセルロースエーテルの範囲から除外される。ヒドロキシエチルセルロース及びその誘導体は水溶性であり、そのため、合理的に本発明の様々な実施形態に使用するのに適していると期待されることに留意されたい。例えば、限定されないが、以下の種類の化合物のいずれかが本発明に使用するのに適しており：メチルセルロース、ヒドロキシプロピルメチルセルロース、カルボキシメチルセルロース、ヒドロキシエチルセルロース、及びこれらの混合物が挙げられる。好ましい実施形態では、水溶性の変性セルロースはヒドロキシプロピルメチルセルロースである。
【００２９】
水溶性セルロースエーテル誘導体を調製する方法は、関連する技術分野の当業者に周知及び理解されており、特に限定されない。したがって、前記水溶性セルロースエーテル誘導体は、本発明に使用するのに好適であると上記に定義された種類の水溶性セルロースエーテル誘導体を製造する任意の方法によって製造することができる。
【００３０】
２つの上記成分は、本発明に係る前記混合物中に、（ポリアクリレートポリマー）：（水様性変性セルロースエーテル）のモル比が、例えば、１：４〜４：１或いは単に１：１などの１：１０〜１０：１の範囲で存在する。好ましい実施形態では、前記モル比は１：１である。
【００３１】
本発明の別の実施形態では、アクリレートポリマー及び水溶性セルロースエーテル誘導体の混合物を含む洗濯洗浄剤を提供する。このような洗濯洗浄剤は、限定されるものではないが、キャリア溶媒、洗浄剤、着色剤、分散剤等の洗濯洗剤用の一般的な添加成分を含んでもよい。本発明による洗濯洗浄剤は、前記剤の総重量に基づいて、最大２重量％のポリアクリレートポリマーと水溶性セルロースエーテル誘導体の混合物を含んでもよい。より具体的には、そのような剤は、前記剤の総重量に基づいて、最大１重量％の前記ポリアクリレートポリマーと、最大１重量％の前記水溶性の変性セルロースエーテルを含むことができる。
【００３２】
本発明は、汚れた布地からの汚れ落ちを促進する方法にも関する。この方法は、水溶液中で、前記汚れた布地を上記したように本発明の前記混合物と接触させる工程を含む。本発明による別の方法は、前記汚れた布地を上記した本発明の洗濯洗浄剤と接触させる工程を含む。
【００３３】
本発明のポリアクリレートポリマーと水溶性セルロースエーテル誘導体との混合物は、本発明の前記方法で、以下の方法：ｉ）汚れる前に、本発明の前記混合物を含む溶液を、前記布地に例えば、軽く叩く、浸漬する又は噴霧する工程であり、使用中の色付きを防ぐために布地表面を保護し、布地の使用前処理操作として実施する工程；ｉｉ）洗浄前の「プレスポッティング（pre-spotting）」布地処理操作において、例えば、軽く叩く、噴霧する又は浸漬することにより、前記布地を前記混合物と接触させる工程；ｉｉｉ）前記ポリマーを「洗浄を介した（through-the-wash）」処理プロセスを用いて前記布地と接触させるために、前記混合物を洗濯洗浄剤に混ぜ合わせる工程；及びｉｖ）洗濯洗浄操作のすすぎサイクルを介して、前記混合物を布地柔軟剤が添加されたリンスに混ぜ合わせる工程の少なくとも１つによって、前記布地と接触させられることが想定される。
【００３４】
本発明の様々な実施形態は、天然及び合成繊維製の布地からの汚れ落ちを促進するのに有効である。例えば、本発明が適用される汚れた布地としては、少なくとも部分的に、綿又は綿混紡、並びにポリエステル又はポリエステル混紡、又はそれらの組み合わせによって製造されたものが含まれる。
【実施例】
【００３５】
本発明の使用、適用及び利点は、以下の本発明の例示的な実施形態並びに前記混合物及び洗濯剤の適用の議論や説明により明らかになるであろう。 
【００３６】
材料及び装置：
・スキャナ：Ｅｐｓｏｎ Ｐｅｒｆｅｃｔｉｏｎ ４４９０ Ｐｈｏｔｏ。
・エプソンスキャンソフトウェア：プロフェッショナルモード。
・画像解析用ソフトウェア：ダウ独自の内部マクロを使用したＩｍａｇｅ Ｊｖ １．４
．３．６７（インターネット上のフリーソフトウェア）。
・欧州の洗濯機：Ｍｉｅｌｅ Ｎｏｖｏｔｒｏｎｉｃ Ｗ１６１４防水システム：
・プログラム４０℃−「水＋」
・コットンプログラム
・１２００ｒｐｍ
・水の硬度：３０°フランス硬度、Ｃａ／Ｍｇが４／１の比率。
・綿織物：Ｃｅｎｔｅｒ Ｆｏｒ Ｔｅｓｔｍａｔｅｒｉａｌｓ ＢＶ（ヴラールディン
オランダ）から入手。ＣＮ−２ ０５−２０１０参照。
・綿編物：Ｃｅｎｔｅｒ Ｆｏｒ Ｔｅｓｔｍａｔｅｒｉａｌｓ ＢＶ（ヴラールディン
オランダ）から入手。ＣＮ−４２−００８参照。
バラスト布地：洗濯機１機当たり３．３ｋｇを地元のスーパーマーケットから入手。
ダウ液体洗濯洗剤の組成は、以下の表１に提供されている。
【００３７】
【表１】
0006001649.tif 000002
【００３８】
・１６種類の異なる染みを、Ｃｅｎｔｅｒ Ｆｏｒ Ｔｅｓｔｍａｔｅｒｉａｌｓ ＢＶ（ヴラールディン  オランダ）から入手した前記綿織物及び綿編物に適用した。前記１６種類の染みを以下の表２に示す。
【００３９】
【表２】
0006001649.tif 000003
【００４０】
実施手順：
前処理工程段階
２種類の綿布地、Ｃｅｎｔｅｒ Ｆｏｒ Ｔｅｓｔｍａｔｅｒｉａｌｓ ＢＶ（ヴラールディン  オランダ）から入手した編物（ＣＮ−４２−００８）と、織物（ＣＮ−２ ０５−２０１０）を：
Ａ：汚れ落ち技術なし;
Ｂ：２％ａｉ（ａｉ＝active content）の変性セルロース（例えば：ダウより入手のＭｅｔｈｏｃｅｌ Ｅ３ ＰＲＬＶ）；
Ｃ：２％ａｉのポリ酸（例えば、ダウより入手のＡｃｕｓｏｌ ４０２）、又は
Ｄ：１％ａｉの変性セルロース（例えば、ダウより入手のＭｅｔｈｏｃｅｌ Ｅ３ ＰＲＬＶ）と１％ａｉのポリ酸（例えば、ダウより入手のＡｃｕｓｏｌ ４０２）とからなる２％ａｉの混合物、
のいずれかを含むダウ液体洗濯洗剤（上記表１を参照）で、前処理した。
【００４１】
この前処理工程の手順は、次のような：６７．５ｇの液体洗剤、プログラム４０ 「水＋」；１２００ｒｐｍを用いた３サイクルである。各洗濯機には、６枚の綿織物、６枚の綿編物、無バラスト布を入れた。各剤（Ａ、Ｂ、Ｃ及びＤ）について６回繰り返して行った。
【００４２】
染み付け段階
その後、前記布は、Ｃｅｎｔｅｒ Ｆｏｒ Ｔｅｓｔｍａｔｅｒｉａｌｓ ＢＶ（ヴラールディン  オランダ）によって、１６の異なる染み（詳細については、上記表２を参照）で、染み付けした。洗浄段階に先立って、各染みをＥｐｓｏｎ Ｐｅｒｆｅｃｔｉｏｎ ４４９０ Ｐｈｏｔｏスキャナ（詳細は、「測定」と題する以下の段落を参照）を使用して、スキャンした。
【００４３】
洗浄段階
その後、前処理され、染み付けされた布地を： 
Ａ：汚れ落ち技術なし;
Ｂ：２％ａｉ（ａｉ＝active content＝重量％）の変性セルロース（例えば：ダウより入手のＭｅｔｈｏｃｅｌ Ｅ３ ＰＲＬＶ）；
Ｃ：２％ａｉのポリ酸（例えば、ダウより入手のＡｃｕｓｏｌ ４０２）；又は
Ｄ：１％ａｉの変性セルロース（例えば、ダウより入手のＭｅｔｈｏｃｅｌ Ｅ３ ＰＲＬＶ）と１％ａｉのポリ酸（例えば、ダウより入手のＡｃｕｓｏｌ ４０２）とからなる２％ａｉの混合物、
のいずれかを含む、ダウ液体洗濯用組成物（表１参照）によって洗浄した。
【００４４】
手順は、次のように：７２．８ｇのダウ液体洗剤、プログラム４０「水＋」、１２００ｒｐｍを用いた洗浄用の１サイクルである。各洗濯機に、１枚の綿織物、１枚の綿編物及び３．３ｋｇのバラスト布を入れた。各剤（Ａ、Ｂ、Ｃ及びＤ）について６回繰り返して行った。性能の測定を行う前に、灯りによる染みのいずれの退色（discoloration）も防ぐために、前記布地を、暗い場所で一晩、空気乾燥（乾燥機を使用せず）した。
【００４５】
測定
汚れ落とし効果は、各染みのデルタＥ（ΔＥ）を介して測定した。デルタＥは、Ｌ*ａ*ｂ*色空間の範囲内における、未洗浄の染みと洗浄後の染みとの色差として定義される。各染みは、以下の設定のエプソンスキャンソフトウェアを使用したＥｐｓｏｎ Ｐｅｒｆｅｃｔｉｏｎ ４４９０ Ｐｈｏｔｏスキャナによって、洗浄前後を測定した。
・プロフェッショナルモード
・ドキュメントタイプ：反射
・ドキュメントソース：ドキュメントテーブル
・自動露出タイプ：写真
・画像の種類：４８ビットカラー
・スキャナ品質：最高
・解像度：４００ｄｐｉ
・色補正無し
【００４６】
次に、それぞれの染みの色を、Ｌ*ａ*ｂ*色空間の範囲内における色情報が得られるマクロを使用したソフトウェアＩｍａｇｅ Ｊバージョン １．４．３．６７（インターネットより入手のフリーソフトウェア）を用いて分析した。それぞれの染みのデルタＥは、以下の式に基づいて、未洗浄及び洗浄後のＬ*ａ*ｂ*値から算出した。
【数１】
0006001649.tif 000004
デルタＥが高い場合は、汚れ落ちも大きい。目に見える色差が、１や最小値のデルタＥに相当することは知られている。
【００４７】
結果
デルタＥの結果は、いくつかの種類の染みを落とすのに、前記ポリアクリレートポリマーと前記水溶性セルロースエーテル誘導体との間の予想外の相乗効果を示した。以下の表３〜６は、上記実験から得られたデルタＥのデータを示すものである。
【００４８】
【表３】
0006001649.tif 000005
【００４９】
【表４】
0006001649.tif 000006
【００５０】
さらに、いくつかの染みについて実行した統計分析は、ＡのデルタＥとＤのデルタＥが大きく異なっていることを示している。その結果を表５及び６に示す。
【００５１】
【表５】
0006001649.tif 000007
【００５２】
【表６】
0006001649.tif 000008